(57)【要約】【課題】球技者の捕球操作に対する操作性の低下を極力抑止しながらも捕球用ウエブの損傷を効果的に抑止し得る野球用グローブを提供する。【解決手段】親指挿入部１と人差指挿入部２との間に配設される皮革製の捕球用ウエブ６に、捕球用ウエブ６の指長方向長さよりも小さな指長方向長さの樹脂製の補強体７が配設されているとともに、補強体７には、捕球用ウエブ６に取り付けるための固定紐８ｃを挿通する挿通部１５が形成されている。【選択図】図１
2008113805.tif 000002
【特許請求の範囲】
【請求項１】
親指挿入部と人差指挿入部との間に配設される皮革製の捕球用ウエブに、捕球用ウエブの指長方向長さよりも小さな指長方向長さの樹脂製の補強体が配設されているとともに、
前記補強体には、前記捕球用ウエブに取り付けるための固定紐を挿通する挿通部が形成されている野球用グローブ。
【請求項２】
前記挿通部が、前記捕球用ウエブに形成された紐通し穴に内挿可能な筒状に形成されている請求項１記載の野球用グローブ。
【請求項３】
前記補強体には、前記挿通部が複数形成されている請求項２記載の野球用グローブ。
【請求項４】
前記紐通し穴が前記捕球用ウエブの手甲側皮革に形成され、前記補強体が前記捕球用ウエブを構成する手甲側皮革の手掌側面に配設されているとともに、
前記挿通部が、前記手甲側皮革の厚さと同一、又は、それよりも大きな筒高さに形成されている請求項２又は３記載の野球用グローブ。
【請求項５】
前記補強体が、皮革よりも弾性復元力の大きな樹脂から構成されている請求項１〜４のいずれか１項に記載の野球用グローブ。
【発明の詳細な説明】
【技術分野】
【０００１】
本発明は、野球やソフトボールなどで使用される野球用グローブに関し、特に、親指挿入部と人差指挿入部との間に配設された捕球用ウエブの損傷を抑止する技術に関するものである。
【背景技術】
【０００２】
この種の野球用グローブとしては、捕球用ウエブの全部を有色透明プラスチック等の樹脂で形成することで、一般的な皮革製の捕球用ウエブに比べて捕球用ウエブの強度を向上させたものが知られている。（下記特許文献１参照）
【特許文献１】実公昭５８−４５７４７号公報
【発明の開示】
【発明が解決しようとする課題】
【０００３】
ところが、捕球用ウエブの全部を有色透明プラスチック等の樹脂で形成する上記の如き従来の野球用グローブでは、皮革製の捕球用ウエブに比べて捕球用ウエブの変形性能が全体的に低下してしまい、そのことで、例えば、転動する捕球対象物に対する迎球姿勢（つまり、捕球用ウエブの手先側部位を接地させて捕球用ウエブを手掌側に屈曲させた姿勢）や捕球対象物が捕球部位（詳しくは、捕球用ウエブの手首側部位を中心とする一定の領域部位）に収まった状態から捕球対象物を包み込むように親指挿入部と人差指挿入部の先端どうしを接触させた捕球姿勢などへの姿勢変更が行い難くなって、球技者の捕球操作に対する操作性が大幅に低下してしまう問題があった。
【０００４】
この実情に鑑み、本発明の主たる課題は、球技者の捕球操作に対する操作性の低下を極力抑止しながらも捕球用ウエブの損傷を効果的に抑止し得る野球用グローブを提供する点にある。
【課題を解決するための手段】
【０００５】
本発明の第１特徴構成は野球用グローブに係り、その特徴は、
親指挿入部と人差指挿入部との間に配設される皮革製の捕球用ウエブに、捕球用ウエブの指長方向長さよりも小さな指長方向長さの樹脂製の補強体が配設されているとともに、
前記補強体には、前記捕球用ウエブに取り付けるための固定紐を挿通する挿通部が形成されている点にある。
【０００６】
つまり、上記特徴構成によれば、捕球部位を構成する捕球用ウエブに部分的に配設するから、先述の従来構造に比べ、球技者の捕球操作に対する操作性の低下を極力抑止しながらも捕球用ウエブの強度を効果的に向上させることができ、しかも、捕球対象物の受止衝撃力により捕球用ウエブに取り付けるための固定紐に引張力が作用することから、その引張力により捕球用ウエブの固定紐挿通部位に生じる局部的な押圧力によって捕球用ウエブの固定紐挿通部位に損傷が生じ易くなるのに対し、補強体に形成の挿通部をもって捕球用ウエブの固定紐挿通部位を構成する、或いは、補強体に形成の挿通部でもって前記引張力による固定紐の移動を規制して捕球用ウエブの固定紐挿通部位に生じる押圧力を低減することができ、これらのことから、捕球対象物の受止衝撃力による捕球用ウエブの損傷を効果的に抑止することができる。
【０００７】
本発明の第２特徴構成は、第１特徴構成の実施に好適な実施形態を特定するものであり、その特徴は、
前記挿通部が、前記捕球用ウエブに形成された紐通し穴に内挿可能な筒状に形成されている点にある。
【０００８】
つまり、上記特徴構成によれば、筒状の挿通部が捕球用ウエブに形成された紐通し穴と固定紐との間に介在する状態で、紐通し穴と固定紐との接触を防止することができるから、固定紐に作用する引張力により紐通し穴に生じる押圧力を一層効果的に低減することができる。
【０００９】
また、補強体を捕球用ウエブに取り付けるとき、紐通し穴に対する筒状挿通部の内挿により捕球用ウエブに対する補強体の位置決めを容易且つ正確に行うことができて、製作時間の短縮化と製作手間の低減化とを図りながらも製作精度を効果的に向上させることができる。
【００１０】
本発明の第３特徴構成は、第２特徴構成の実施に好適な実施形態を特定するものであり、その特徴は、
前記補強体には、前記挿通部が複数形成されている点にある。
【００１１】
つまり、上記特徴構成によれば、捕球用ウエブの複数の紐通し穴に対する複数の筒状挿通部の内挿により捕球用ウエブに対する補強体の姿勢決めを容易且つ正確に行うことができて、製作時間の短縮化と製作手間の低減化とを図りながらも製作精度を一層効果的に向上させることができる。
【００１２】
本発明の第４特徴構成は、第２又は第３特徴構成の実施に好適な実施形態を特定するものであり、その特徴は、
前記紐通し穴が前記捕球用ウエブの手甲側皮革に形成され、前記補強体が前記捕球用ウエブを構成する手甲側皮革の手掌側面に配設されているとともに、
前記挿通部が、前記手甲側皮革の厚さと同一、又は、それよりも大きな筒高さに形成されている点にある。
【００１３】
つまり、上記特徴構成によれば、補強体を捕球用ウエブに取り付けた状態において、樹脂製の補強体によって捕球用ウエブの手甲側皮革に形成された紐通し穴の手掌側角部を被覆する状態で手掌側角部に対する固定紐の接触を確実に防止することができるとともに、捕球用ウエブの紐通し穴に内挿された補強体の筒状挿通部の上端を捕球用ウエブの手甲側皮革の手甲側面と面一にする、又は、それよりも手甲側に突出させることができて、その上端部分により手甲側角部に対する固定紐の接触を効果的に抑止することができ、これにより、固定紐に作用する引張力により紐通し穴に生じる押圧力をさらに効果的に低減することができる。
【００１４】
本発明の第５特徴構成は、第１〜第４特徴構成のいずれかの実施に好適な実施形態を特定するものであり、その特徴は、
前記補強体が、皮革よりも弾性復元力の大きな樹脂から構成されている点にある。
【００１５】
つまり、上記特徴構成によれば、野球用グローブにおいては手を拡げた姿勢が待機姿勢（つまり、野球用グローブを装着して捕球対象物を待つ姿勢）となるのに対し、補強体の弾性復元力でもって捕球用ウエブを待機姿勢に付勢することができるから、その付勢力の分だけ待機姿勢の保持や捕球姿勢から待機姿勢への姿勢変更を行い易くすることができて、この点で、球技者の捕球操作に対する操作性を向上させることができる。
【発明を実施するための最良の形態】
【００１６】
図１〜図４は、野球やソフトボールにおいて球技者の利き手と反対の手（本例では左手）に装着して捕球具として使用される野球用グローブを示し、この野球用グローブは、親指挿入部１、人差指挿入部２、中指挿入部３、薬指挿入部４、小指挿入部５を備える皮革製のグローブ本体Ａと、親指挿入部１と人差指挿入部２との間に配設される皮革製の捕球用ウエブ６とから構成されている。
【００１７】
前記捕球用ウエブ６は、手先側に向かって徐々に拡がった正面視逆台形状に形成され、その手先側先端部を前記グローブ本体Ａの各指挿入部１、２、３、４、５を連結する第１固定紐８ａにより親指挿入部１、人差指挿入部２の各先端部位に対し固定されているとともに、手首側末端部を第３固定紐８ｃにより親指挿入部１、人差指挿入部２の各中間部位及びそれら各指挿入部１、２の間の股間部位に固定され、更に中間部を第２固定紐８ｂにより親指挿入部１、人差指挿入部２の各中間部位に固定されている。
【００１８】
図３、図４に示すように、前記捕球用ウエブ６は、ウエブ形成用皮革の手先側及び手首側の両側を手甲側に折り曲げて、手先側端部と手甲側端部を重ね合わせた状態で、手甲側皮革６Ａ（つまり、ウエブ形成皮革の手甲側部）と手掌側皮革６Ｂ（つまり、ウエブ形成皮革の手掌側部）とを手首側から順に第１縫着部ｎ１、第２縫着部ｎ２、第３縫着部ｎ３、第４縫着部ｎ４、第５縫着部ｎ５の５箇所で縫着して構成されており、捕球用ウエブ６の内部に、第３固定紐８ｃを挿入するための第３挿入部１１ａ、１１ｂ、第２固定紐８ｂを挿入するための第２挿入部１０ａ、１０ｂ、１０ｃ、第１固定紐８ａを挿入するための第１挿入部９ａの複数個（本例では６つ）の挿入部が手首側から順に区画形成されている。
【００１９】
なお、第２縫着部ｎ２では、手甲側皮革６Ａにおける手先側端部と手首側端部との積層部と手掌側皮革６Ｂとが縫着されている。
【００２０】
手甲側皮革６Ａの前記第３挿入部１１ａに対面する部分には、第３固定紐８ｃを挿通する複数の第３紐通し穴１４ａが形成され、第３挿入部１１ｂに対面する部分には、第３固定紐８ｃを挿通する複数の第３紐通し穴１４ｂが形成されているとともに、手甲側皮革６Ａの前記第２挿入部１０ａ、１０ｂ、１０ｃに対面する各部分には、第２固定紐８ｂを挿通する複数の小孔状の第２紐通し穴１３が各々形成されている。
【００２１】
また、前記第１挿入部９ａに対面する手甲側外皮６Ａ及び手掌側外皮６Ｂの各部分には、第１固定紐８ａを手甲側から手掌側に亘って貫通させる複数の小孔状の第１紐通し穴１２が各々形成されている。
【００２２】
なお、前記第３紐通し穴１４ａは小孔状に形成されているとともに、第３紐通し穴１４ｂは指長方向を長手方向とする面取り長方形状に形成されている。
【００２３】
６ａは、捕球用ウエブ６の手先側部位の変形性能を確保するために手甲側外皮６Ａに指並設方向に間隔を空けて形成された一対の切り込みである。
【００２４】
そして、前記捕球用ウエブ６には、捕球用ウエブ６の指長方向長さＬｗよりも小さな指長方向長さＬの樹脂製（本例では、合成樹脂製）の略板状の補強体７が配設されている。
【００２５】
つまり、捕球部位Ｃを構成する捕球用ウエブ６に対し補強体７を部分的に配設することで、球技者の捕球操作に対する操作性の低下を極力抑止しながらも捕球用ウエブ６の強度を効果的に向上させる。
【００２６】
前記補強体７は、皮革よりも大きな弾性復元力を備える樹脂をもって、捕球用ウエブ６の指並設方向長さよりも若干小さな指並設方向長さと、捕球対象物Ｂの直径Ｌｂよりも小さな指長方向長さＬとを有する正面視長方形の板状に構成されている。
【００２７】
そのため、野球用グローブにおいては手を拡げた図１、図２に示す姿勢が待機姿勢（つまり、野球用グローブを装着して捕球対象物Ｂを待つときの姿勢）となるのに対し、補強体７の弾性復元力でもって捕球用ウエブ６を前記待機姿勢に付勢することができて、待機姿勢の保持や捕球姿勢から待機姿勢への姿勢変更を行い易くすることができる。
【００２８】
また、補強体７の指長方向長さＬを捕球対象物Ｂの直径Ｌｂよりも小さく構成することで、捕球時において、補強体７を配置した部位と捕球対象物Ｂの受止衝撃力に対する変形量の大きな皮革で形成された部位との双方に対し同時的に捕球対象物Ｂを接触させることができて、捕球対象物Ｂが変形量の小さな補強体７配置部位のみと接触して弾かれてしまうなどの不具合を効果的に抑止することができる。
【００２９】
前記補強体７の指長方向中間部には、前記各固定紐８ａ〜８ｃを挿通する複数の挿通部（本例では、第３固定紐８ｃを挿通する指長方向を長手方向とした面取り長方形状の複数の挿通部）１５が、親指挿入部１側から指並設方向に沿って均等又は略均等間隔で分散形成されており、詳しくは、指並設方向外側の小幅の一対の外側挿通部１５ａと、指並設方向中央側のやや大幅の一対の中央側挿通部１５ｂの４つの挿通部１５が指並設方向中央線Ｔに対し対称となる配置で形成されている。
【００３０】
前記挿通部１５は、前記捕球用ウエブ６に形成された第３紐通し穴１４ｂに内挿可能な筒状、具体的には、捕球用ウエブ６の第３紐通し穴１４ｂに対し手掌側から内接状態で嵌合可能な筒状に形成され、手甲側皮革６Ａの厚さｄよりも大きな突出長さ（筒高さ）Ｈで補強体７の手甲側面に突出されている。
【００３１】
つまり、捕球対象物Ｂの受止衝撃力による第３固定紐８ｃの移動範囲を補強体７の挿通部１５をもって規制することで、第３固定紐８ｃに作用する引張力により第３紐通し穴１４ｂに生じる局部的な押圧力を効果的に低減することができ、しかも、捕球用ウエブ６に形成された第３紐通し穴１４ｂと第３固定紐８ｃとの間に介在する状態で第３紐通し穴１４ｂと第３固定紐８ｃとの接触を挿通部１５により抑止することで、第３固定紐８ｃに作用する引張力により第３紐通し穴１４ｂに生じる局部的な押圧力を一層効果的に低減することができる。
【００３２】
そして、補強体７は、補強用ウエブ６の第３挿通部１１ｂの内部において各挿通部１５が対応する補強用ウエブ６の第３紐通し穴１４ｂに嵌り込む状態で手甲側皮革６Ａの手掌側面に対し第３紐通し穴１４ｂの外縁周りの環状の縫着部１６で縫着することにより、捕球時に捕球対象物Ｂが接触する捕球部位Ｃの端部を除く中間部に配置される状態で捕球用ウエブ６の内部の手首側部位に取り付けられている。
【００３３】
そのため、樹脂製の補強体７によって手甲側皮革６Ａに形成された第３紐通し穴１４ｂの手掌側角部をＬ字状に被覆する状態で手掌側角部に対する第３固定紐８ｃの接触を確実に防止することができるとともに、捕球用ウエブ６の第３紐通し穴１４ｂに内挿された筒状挿通部１５の上端を手甲側皮革６Ａの手甲側に突出させて、その突出部分により手甲側角部に対する第３固定紐８ｃの接触も効果的に抑止することができる。
【００３４】
しかも、補強体７を捕球用ウエブ６に取り付けるとき、複数の第３紐通し穴１４ｂに対し筒状挿通部１５を嵌合させることにより、捕球用ウエブに対する補強体の位置決め及び姿勢決めを容易且つ正確に行うことができる。
【００３５】
さらに、捕球用ウエブ６の手先側部位を接地させて捕球用ウエブ６を手掌側に屈曲させた前記迎球姿勢に姿勢変更する際の変形量や、捕球対象物Ｂが捕球部位Ｃに収まった状態から捕球対象物Ｂを包み込むように親指挿入部１と人差指挿入部２の先端部位どうしを、捕球用ウエブ６を屈曲させながら接触させた捕球姿勢に姿勢変更する際の変形量が大きくなる捕球用ウエブ６の手先側部位を適度な変形性能を備えたウエブ形成用皮革で構成することで、球技者の捕球操作に対する操作性の低下を抑止しながらも、捕球部位Ｃの中間部に位置する捕球用ウエブ６の手首側部位に対して補強体７を配設することで、捕球用ウエブ６の強度を効果的に向上させることができる。
【００３６】
また、捕球対象物Ｂを捕球する捕球部位Ｃにおける皮革製の端部の皮革特有の大きな変形をもって、捕球対象物Ｂを捕球部位Ｃで包み込む形態で捕球対象物Ｂをしっかりと受け止めることがでながらも、捕球時において捕球対象物Ｂの受止衝撃力が大きな捕球部位Ｃの中間部の強度を補強体７により効果的に向上させることができる。
【００３７】
そしてまた、捕球対象物Ｂと接触する捕球用ウエブ６の手掌側面を捕球に適した弾力を備えたウエブ形成用皮革（詳しくは、手掌側皮革６Ｂ）で形成することで、捕球対象物Ｂが補強体７に直接接触して弾かれてしまうなどの不具合を効果的に抑止することができる。
【００３８】
前記補強体７の外周縁部７ａは、その手掌側面が外周縁側ほど手甲側に位置するテーパー面を形成する形態で、外周縁側ほと薄くなる形状に形成されている。
【００３９】
そのため、第３挿入部１１ｂの内面に段差が生じることを抑止することができて、その段差に原因して第２挿入部１１ｂに対する第３固定紐８ｃの挿入操作が行い難くなったり、第３固定紐８ｃの所望位置への配置操作が行い難くなったりするなどの不具合を抑止することができる。
【００４０】
なお、グローブ本体Ａを構成する皮革や捕球用ウエブ６を形成するウエブ形成皮革は、天然皮革、合成皮革のどちらであってもよい。
【００４１】
［その他の実施形態］
〔１〕捕球用ウエブ６の形態は、従来から種々のものが存在するが、何れの形態の捕球用ウエブに本発明を適用してもよい。
【００４２】
〔２〕補強体７を成形する樹脂としては、種々の合成樹脂、合成ゴム、天然ゴムなどを採用できる。
【００４３】
〔３〕補強体７の形状（つまり、外形や大きさ）などの具体的構成は、前述の実施形態で示した如き構成に限られるものではなく、種々の構成変更が可能である。
【００４４】
〔４〕前述の実施形態では、補強体７を捕球用ウエブ６の手首側部位に配設する場合を例に示したが、これに限らず、手首側部位の手先側に位置する手先側部位に配設してもよい。
【００４５】
〔５〕前述の実施形態では、補強体７を捕球用ウエブ６の手掌側面よりも手甲側に設ける構成を例に示したが、手掌側面よりも手掌側に設けてもよい。
【００４６】
〔６〕前述の実施形態では、補強体７を捕球用ウエブ６の内部に配設する場合を例に示したが、捕球用ウエブ６の外部に配設してもよい。
【００４７】
また、上述の如く、補強体７を捕球用ウエブ６の外部に配設する場合において、補強体７を捕球用ウエブ６の一部に代えて設けてもよい。
【００４８】
〔７〕前述の実施形態では、補強体７に挿通部１５を複数個形成する場合を例に示したが、挿通部１５を１個だけ形成してもよい。
【００４９】
〔８〕前述の実施形態では、補強用ウエブ６に補強体７を１個配設する場合を例に示したが、補強体７を複数個配設してもよい。
【００５０】
〔９〕前述の実施形態では、補強体７の挿通部１５を前記捕球用ウエブ６に形成された第３紐通し穴１４ｂに内挿可能な筒状に形成する場合を例に示したが、捕球用ウエブに対する補強体７の配設位置に応じ、第１紐通し穴１２、第２紐通し穴１３、第３紐通し穴１４ａに内装可能な筒状に形成してもよい。
【００５１】
〔１０〕前述の実施形態では、補強体７の挿通部１５を指並設方向に沿って１列に配設する場合を例に示したが、指並設方向に沿って複数列に配設したりしてもよく、捕球用ウエブ６の形状や補強体７により補強する部位等に応じ適宜に変更すればよい。
【００５２】
〔１１〕前述の実施形態では、補強体７を捕球用ウエブ６に対し縫着により取り付ける場合を例に示したが、これに限らず、例えば、接着剤による接着や貼着テープによる貼着などにより取り付けてもよい。
【００５３】
〔１２〕前述の実施形態では、補強体７の挿通部１５の筒高さＨを補強用ウエブ６の手甲側皮革６Ａの厚さｄよりも大きく形成する場合を例に示したが、手甲側皮革６Ａの厚さｄと同一に形成してもよく、或いは、手甲側皮革６Ａの厚さｄよりも小さく形成してもよい。
【００５４】
〔１３〕前述の実施形態では、補強体７の挿通部１５を円筒状に形成する場合を例に示したが、角筒状などに形成してもよい。また、筒状に形成することなく単に挿通孔を貫通形成して挿通部１５を構成したりしてもよい。
【図面の簡単な説明】
【００５５】
【図１】本発明に係る野球用グローブの手甲側外観図
【図２】本発明に係る野球用グローブの手掌側外観図
【図３】本発明に係る野球用グローブの要部分解斜視図
【図４】図３のＡ−Ａ線断面図
【符号の説明】
【００５６】
１                          親指挿入部
２                          人差指挿入部
６                          捕球用ウエブ
６Ａ                        手甲側皮革
６Ｂ                        手掌側皮革
７                          補強体
８ａ〜８ｃ                  固定紐
１２、１３、１４ａ、１４ｂ  紐通し穴
１５                        挿通部
ｄ                          手甲側皮革の厚さ
Ｈ                          補強体の筒高さ
【図１】
2008113805.tif 000003
【図２】
2008113805.tif 000004
【図３】
2008113805.tif 000005
【図４】
2008113805.tif 000006